(57)【要約】      （修正有）【課題】キャビネットの開閉において、通路の妨げとならず、他の設備等と干渉しないキャビネットを提供する。【解決手段】シャッター型キャビネット１は、電気設備が収容されるものであって、電気設備を収容するための収容空間を形成し、収容空間から連通して前方に開放する開口部を備えるキャビネット本体１０と、開口部を開閉するシャッター部２０とを備える。キャビネット本体１０の開口部がシャッター部２０により開閉されるため、開口部の開放する方向に開く扉型のキャビネットに比較して、開閉に際して開放方向のスペースを必要としない。これにより、シャッター型キャビネット１前の通路の妨げになることがなく、また、障害物との干渉を回避することができる。【選択図】図１
0003217002.tif 000002
【実用新案登録請求の範囲】
【請求項１】
電気設備が収容されるシャッター型キャビネットであって、
前記電気設備を収容するための収容空間を形成し、前記収容空間から連通して前方に開放する開口部を備えるキャビネット本体と、
前記開口部を開閉するシャッター部とを備えることを特徴とする、シャッター型キャビネット。
【請求項２】
前記シャッター部は、上方から下方にスラットを下降させることにより前記開口部を閉じる、請求項１に記載のシャッター型キャビネット。
【請求項３】
前記スラットは、その表面に標章を付されている、請求項２に記載のシャッター型キャビネット。
【請求項４】
前記シャッター部は、前記スラットの下方に把持部を備え、
前記把持部は、前記シャッター部を施錠する施錠機能を有する、請求項２または３に記載のシャッター型キャビネット。
【請求項５】
前記キャビネット本体は、前記シャッター部が閉じられた状態でスラットに接触する密着部材を前記開口部付近に備える、請求項１〜４のいずれか一項に記載のシャッター型キャビネット。
【請求項６】
前記キャビネット本体を支持する脚部を備え、
前記開口部は、地面から所定の高さ位置におかれる、請求項１〜５のいずれか一項に記載のシャッター型キャビネット。
【請求項７】
前記キャビネットは、前記収容空間内の前記電気設備を照らす照明部を備える、請求項１〜６のいずれか一項に記載のシャッター型キャビネット。
【請求項８】
前記シャッター部は、スラットを巻き取る巻取部を備え、
前記巻取部は、前記開口部の直上に設けられており、
前記巻取部より前記収容空間の奥側に前記照明部が設けられている、請求項７に記載のシャッター型キャビネット。
【請求項９】
前記照明部は、前記シャッター部が開いた状態で点灯する、請求項７または８に記載のシャッター型キャビネット。
【請求項１０】
前記キャビネットの前記開口部は、地面から２ｍ以下の高さに収まる、請求項１〜９のいずれか一項に記載のシャッター型キャビネット。
【請求項１１】
請求項１〜１０のいずれか一項に記載のシャッター型キャビネットの前記収容空間内に、前記電気設備を収容したことを特徴とするキャビネット収容型電気設備。
【考案の詳細な説明】
【技術分野】
【０００１】
本考案は、電気設備を収容するシャッター型キャビネット、及びキャビネット収容型電気設備に関する。
【背景技術】
【０００２】
従来より、配電盤、分電盤、制御盤、計測盤等のように、電気設備を収容するキャビネットがある。そのようなキャビネットは、例えば、工場や倉庫のような施設に配置され、キャビネット内に設けられた電気設備を利用して、施設内に電気を供給したり、施設内の機械を制御したりする。
【０００３】
そのようなキャビネットとして、例えば、電気設備の接点開閉を行う切り替えスイッチや電線等を収容する配電盤（特許文献１を参照）がある。この配電盤は、筐体（キャビネット本体）内に電気設備が設けられており、筐体に設けられた扉を開いて接点開閉の切り替えスイッチを操作し、操作をしないときは、扉を閉じて収容した電気設備を保護している。
【先行技術文献】
【特許文献】
【０００４】
【特許文献１】特開２０１６−８２６４５号公報
【考案の概要】
【考案が解決しようとする課題】
【０００５】
上述した特許文献１に記載の配電盤では、扉を開閉することにより、電気設備の操作と保護とを可能にしている。しかし、考案者らが鋭意検討したところ、配電盤であるキャビネットは、通路の脇に置かれることも多く、扉を開いた状態で、通行の妨げとなる場合があるとの知見を得た。また、通路の脇に置かれない場合であっても、キャビネットの前方に他の設備等が配置される場合は、他の設備等が干渉して扉の開閉の妨げとなることもある。
【０００６】
本考案は、これらの問題に鑑み、キャビネットの開閉において、通路の通行の妨げとならず、他の設備等と干渉しないキャビネット、及びキャビネット収容型電気設備を提供することを目的とする。
【課題を解決するための手段】
【０００７】
（１）本考案に係るシャッター型キャビネットは、電気設備が収容されるものであって、前記電気設備を収容するための収容空間を形成し、前記収容空間から連通して前方に開放する開口部を備えるキャビネット本体と、前記開口部を開閉するシャッター部とを備えることを特徴とする。
【０００８】
このようなシャッター型キャビネットでは、キャビネット本体の開口部がシャッターにより開閉されるため、開口部の開放する方向に開く扉型のキャビネットに比較して、開閉に際してキャビネット本体の前方にスペースを必要としない。これにより、シャッター型キャビネットの前方の通行の妨げになることがなく、また、キャビネットの前方に障害物を置かれても開閉に際して干渉することを回避できる。
【０００９】
（２）上述のシャッター型キャビネットにおいて、前記シャッター部は、上方から下方にスラットを下降させることにより前記開口部を閉じるようにしてもよい。そのようにすれば、シャッターが閉じた状態でシャッターのスラットが重力により保持されるため、シャッター部を確実に閉じた状態を維持することができ、シャッターを閉じた状態での防塵性や防水性が向上する。
【００１０】
（３）上述のシャッター型キャビネットにおいて、前記スラットは、その表面に標章を付されるようにしてもよい。そのようにすれば、スラットを表示面として、文字、図形および文字と図形の組合せ等の標章を大きく連続的に表示でき、広告宣伝効果が期待できる。特に、閉じられた状態のスラットの中央に、標章が付されることにより、視認性が高まり、広告宣伝効果の向上が期待できる。
【００１１】
（４）上述のシャッター型キャビネットにおいて、前記シャッター部は、前記スラットの下方に把持部を備え、前記把持部は、前記シャッター部を施錠する施錠機能を有するようにしてもよい。そのようにすれば、キャビネット内の電気設備を操作する者を限定することができ、キャビネット内の電気設備を安全に保護することができる。
【００１２】
（５）上述のシャッター型キャビネットにおいて、前記キャビネット本体は、前記シャッター部が閉じられた状態でスラットに接触する密着部材を前記開口部付近に備えるようにしてもよい。そのようにすれば、シャッター部が閉じられた状態で、防塵性や防水性が向上するとともに、スラットの揺れや騒音を防止することができる。
【００１３】
（６）上述のシャッター型キャビネットにおいて、前記キャビネット本体を支持する脚部を備え、前記開口部は、地面から所定の高さ位置におかれるようにしてもよい。そのようにすれば、地面から所定の高さ位置に開口部がおかれることにより、開口部を介して収容空間に設けられた電気設備を容易に操作できる。
【００１４】
（７）上述のシャッター型キャビネットにおいて、前記キャビネットは、前記収容空間内の前記電気設備を照らす照明部を備えるようにしてもよい。そのようにすれば、キャビネット本体内に設けられた電気設備が照明により照らされて、電気設備の操作が容易になる。
【００１５】
（８）上述のシャッター型キャビネットにおいて、前記シャッター部は、前記シャッターのスラットを巻き取る巻取部を備え、前記巻取部は、前記開口部の直上に設けられており、前記巻取部より奥側に前記照明部を設けるようにしてもよい。そのようにすれば、キャビネット内の奥側に設けられた電気設備を照らす場合であっても、巻取部に照明部の光が干渉することなく、確実に電気設備を照らすことができる。
【００１６】
（９）上述のシャッター型キャビネットにおいて、前記照明部は、前記シャッター部が開いた状態で点灯するようにしてもよい。そのようにすれば、電気設備を操作するには、シャッター部を開く必要があるため、電気設備を操作しようとするときには、自動的に、照明部が電気設備を照らすようになり、安全に作業できるようになる。
【００１７】
（１０）上述のシャッター型キャビネットにおいて、前記キャビネットの前記開口部は、地面から２ｍ以下の高さに収まるようにしてもよい。そのようにすれは、人が地面に立った状態で、踏み台等の他の道具を使わずにシャッター部を開閉することができ、かつ、収容空間内の電気設備の操作が容易にできる。
【００１８】
（１１）本考案に係るキャビネット収容型電気設備は、シャッター型キャビネットの前記収容空間内に、前記電気設備を収容したものである。本考案によれば、キャビネットの開閉において、通路の妨げとならず、他の設備等と干渉しないキャビネット収容型電気設備を提供できる。
【考案の効果】
【００１９】
本考案によれば、キャビネットの開閉において、通路の妨げとならず、他の設備等と干渉しないキャビネット、及びキャビネット収容型電気設備を提供することができる。
【図面の簡単な説明】
【００２０】
【図１】本考案の実施形態に係るシャッター型キャビネット、及びキャビネット収容型電気設備のシャッター部が閉じた状態を示す概略斜視図である。
【図２】本考案の実施形態に係るシャッター型キャビネット、及びキャビネット収容型電気設備のシャッター部が開いた状態を示す概略斜視図である。
【図３】本考案の実施形態に係るシャッター型キャビネット、及びキャビネット収容型電気設備のシャッター部が閉じた状態を示す概略正面図である。
【図４】本考案の実施形態に係るシャッター型キャビネット、及びキャビネット収容型電気設備を示す概略側面図である。
【図５】本考案の実施形態に係るシャッター型キャビネット、及びキャビネット収容型電気設備のシャッター部が開いた状態を示す概略上面図である。
【考案を実施するための形態】
【００２１】
本考案の実施形態に係るシャッター型キャビネット、及びキャビネット収容型電気設備について、図面を参照して説明する。キャビネット収容型電気設備は、シャッター型キャビネットの内部に、配電盤、分電盤、制御盤、計測盤等のように配電用、分電用、制御用、計測用等の電気設備等が収容され、例えば、工場や倉庫のような場所に配置される。本実施形態において、シャッター型キャビネット、及びキャビネット収容型電気設備について、配電盤Ｓに適用したものを例に説明する。
【００２２】
図１は、電気設備１４を内部に備える配電盤Ｓ（キャビネット収容型電気設備）及びこれを構成するシャッター型キャビネット１のシャッター部２０を閉じた状態を示す概略斜視図であり、図２は、シャッター型キャビネット１のシャッター部２０を開いた状態を示す概略斜視図である。
【００２３】
図１および図２に示すように、シャッター型キャビネット１は、配電用の電気設備１４を収容するための収容空間１１を形成し、収容空間１１を覆うキャビネット本体１０と、キャビネット本体１０に設けられたシャッター部２０と、キャビネット本体１０を支持する脚部３０とを備える。
【００２４】
キャビネット本体１０は、直方体の箱状に形成されており、前面部に開口部１２を形成されて、開口部１２は収容空間１１に連通している。キャビネット本体１０は、収容空間１１内に配電用の電気設備１４を収容し、電気設備１４は、例えば、キャビネット本体１０の開口部１２と反対側の背面部の内側に設けられている。
【００２５】
キャビネット本体１０を支持する脚部３０は、直方体の箱状に形成されており、直方体の各面が中央をくり抜かれた枠状に形成されている。キャビネット本体１０は、脚部３０に支持されることにより、地面から所定の高さ位置、例えば、キャビネット本体１０の底面部が地面から概略４０ｃｍの高さ位置に置かれている。
【００２６】
また、脚部３０に支持されるキャビネット本体１０は、開口部１２の上辺部が地面から２ｍ以内の高さ位置に置かれている。キャビネット本体１０と脚部３０とは、所定の剛性を有する金属材料から形成され、また、それらが分離可能に構成されている。
【００２７】
シャッター部２０は、従来よく知られるように、スラット２１と、スラット２１を巻き取る巻取装置２２とを備える。巻取装置２２は、キャビネット本体１０の前面部の内側であって、矩形に開放する開口部１２の上辺付近からキャビネット本体１０の奥側の位置に設けられている（図４を参照）。スラット２１が巻取装置２１に送り出された状態で、シャッター部２０はキャビネット本体１０の開口部１２を閉じ、スラット２１が巻取装置２２に巻き取られた状態で、シャッター部２０はキャビネット本体１０の開口部１２を開放する。
【００２８】
すなわち、スラット２１は、巻取装置２２から送り出されて、開口部１２の下辺部付近まで移動する。これにより、スラット２１が下降して、シャッター部２０が閉じられた状態となり、キャビネット本体１０内の電気設備１４が保護される。このとき、シャッター部２０が閉じられた状態でスラット２１は開口部１２の下辺部付近の位置に移動し、その状態を維持される。
【００２９】
シャッター部２０のスラット２１の表面には、標章２３として機能する文字が付されている。スラット２１に付される標章２３は文字に限らず、図形や、文字と図形の組合せ等であってもよい。標章２３は、スラット２１の横方向に一端側から他端側に渡って表示されている。
【００３０】
シャッター部２０は、さらに、スラット２１の下端側の表面にシャッター部２０を開閉するための把持部２４を備える。把持部２４は、作業者に把持されやすい形状に構成されている。また、把持部２４は、シャッター部２０が閉じた状態で、スラット２１の移動を規制してシャッター部２０を施錠する施錠機能を有する。施錠機能は、従来よく知られるように、施錠状態で機械的にスラット２１の移動を阻止する。
【００３１】
また、開口部１２の側辺部には、パッキンのような密着部材（図示しない）が設けられており、スラット２１に接して、キャビネット本体１０内に埃や水分が進入することを防止する。また、密着部材がスラット２１に密着することにより、スラット２１が揺れたり、振動することがなくなるため、スラット２１が風圧等の影響を受けて、揺れや騒音が生じることを防止することができる。
【００３２】
図３〜図５に示すように、キャビネット本体１０は、背面部から前面部側に延在し、照明部１６を支持する支持部１５と、支持部１５に取り付けられる照明部１６と、照明部１６を電気的に制御する照明制御部１７（図２を参照）を備える。
【００３３】
照明部１６は、従来よく知られる複数のＬＥＤからなるＬＥＤ照明装置である。ＬＥＤ照明装置は、指向性が高く、キャビネット本体１０内の電気設備１４を集中的に照らしている。支持部１５は、照明部１６が開口部１２の上辺部と概略同一の高さに位置するようにキャビネット本体１０の背面部に設けられている。これにより、照明部１６は、開口部１２の上辺部付近に設けられた巻取部２２より奥側に設けられている。
【００３４】
照明制御部１７は、シャッター部２０の開閉状態を検知し、シャッター部２０が開いた状態、すなわちスラット２１が開口部１２の下辺部から上方に移動した状態で、照明部１６が点灯するように、照明部１６を制御する。これにより、シャッター部２０が開いた状態になると、自動的に照明部１６が点灯することになる。照明制御部１７は、キャビネット本体１０の一方の側面部に設けられている。
【００３５】
キャビネット本体１０は、天井部にシャッター部２０を収容空間１１内に導入するための窓部１８を備える。窓部１８は、開口と開口を封鎖する板状部材とからなる。開口はシャッター部２０のスラット２１および巻取装置２２の平面寸法よりも、大きい寸法を有する。これにより、シャッター部２０をキャビネット本体１０内に取り付けるときに、板状部材を開口から取り外し、開口から収容空間１１内にシャッター部２０を容易に挿入することができる。
【００３６】
本実施形態において、シャッター型キャビネット１は、上下方向に開閉するシャッター部２０により収容空間１１を開放および閉鎖する。これにより、シャッター型キャビネット１が開いた状態であっても、閉じた状態であっても、シャッター型キャビネット１の前の通行の妨げになることがなく、また、障害物との干渉を回避することができる。
【００３７】
本実施形態において、キャビネット本体１０は、所定の寸法の直方体に形成される形態について説明した。しかし、キャビネット本体は、電気設備を収容できれば、寸法を適宜変更されてよく、場合によっては、立方体であってもよい。また、キャビネット本体１０の寸法および電気設備に応じて、開口部１２の寸法は適宜変更される。
【００３８】
本実施形態において、シャッター部２０は、スラット２１を上下に移動することにより開閉される形態について説明した。しかし、シャッター部２０は、スラット２１を横方向に移動するように構成されていてもよい。シャッター部２０により開口部１２が開閉するため、開口方向に扉が開くようなことはなく、キャビネット本体１０の前面部側のスペースを有効活用できる。
【００３９】
本実施形態において、キャビネット本体１０と脚部３０とが分離する形態を例に説明した。しかし、キャビネット本体１０と脚部３０とは、一体的に構成されていてもよい。また、キャビネット本体１０は、脚部３０に支持されることなく、地面に直接おかれてもよい。
【００４０】
本実施形態において、照明部１６は、ＬＥＤ照明装置を利用する形態を例に説明した。しかし、照明部１６は、収容空間１１内を明るくすることができれば、蛍光灯や電球のような他の照明装置であってもよい。
【００４１】
本実施形態において、開口部１２の側辺部付近に密着部材を設ける形態について説明した。しかし、密着部材は側面部に加えて、開口部１２の底辺部付近に設けられてもよい。また、密着部材としてパッキンを使用する形態について説明したが、密着部材は、収容空間１１への埃や水分の進入を防止できれば、他の部材であってもよい。
【００４２】
なお、上記各実施形態に示す構成は構成要素の具体例を挙げたものであり、各構成、形
状、又は取り付け態様は本考案の趣旨を逸脱しない限り、実施形態として示すものに限定
されることなく、種々の変形ないし変更が可能である。
【産業上の利用可能性】
【００４３】
本考案は、電気設備のキャビネット、及び当該キャビネットに電気設備を収容したキャビネット収容型電気設備全般において好適に利用できる。
【符号の説明】
【００４４】
Ｓ    配電盤（キャビネット収容型電気設備）
１    シャッター型キャビネット
１０    キャビネット本体
１１    収容空間
１２    開口部
１４    窓部
１５    支持部
１６    照明部
１７    電気設備
１８    証明制御部
２０    シャッター部
２１    スラット
２２    巻取装置
２３    標章
２４    把持部
３０    脚部
【図１】
0003217002.tif 000003
【図２】
0003217002.tif 000004
【図３】
0003217002.tif 000005
【図４】
0003217002.tif 000006
【図５】
0003217002.tif 000007
【手続補正書】
【提出日】平成30年5月11日(2018.5.11)
【手続補正１】
【補正対象書類名】明細書
【補正対象項目名】００４４
【補正方法】変更
【補正の内容】
【００４４】
Ｓ    配電盤（キャビネット収容型電気設備）
１    シャッター型キャビネット
１０    キャビネット本体
１１    収容空間
１２    開口部
１４    窓部
１５    支持部
１６    照明部
１７    電気設備
１８    照明制御部
２０    シャッター部
２１    スラット
２２    巻取装置
２３    標章
２４    把持部
３０    脚部